(57)【要約】      （修正有）【課題】中央演算処理装置を回路基板に確実かつ容易に固定するための固定装置を提供する。【解決手段】固定装置３は、回路基板１に固定された第１および第２の台座３１，３２を備える。上記固定装置は、中央演算処理装置２に重ねられ、中央演算処理装置に対して押圧されるプレス部材３３４であって、上記第１の台座に軸回転可能に接続される側端部と、当該側端部に対向する、上記第２の台座に隣接する側端部とを有するプレス部材をさらに備える。固定装置３は、上記プレス部材に対して押圧される係合ロッド３４であって、第２の台座に軸回転可能に接続された一方の端部と、第１の台座と着脱可能に係合する他方の端部とを有する、中央演算処理装置を回路基板に固定するための係合ロッドをさらに備える。【選択図】図１
0003183398.tif 000002
【実用新案登録請求の範囲】
【請求項１】
基板本体と、当該基板本体に配置されたソケットであって、第１の側面および当該第１の側面と対向する第２の側面を有するソケットとを備える回路基板に対し、上記第１の側面と上記第２の側面との間に配置される中央演算処理装置を固定する固定装置であって、
上記基板本体における、上記ソケットの上記第１の側面に隣接する位置に固定される第１の台座と、
上記基板本体における、上記ソケットの上記第２の側面に隣接する位置に固定される第２の台座と、
中央演算処理装置に重ねられ、中央演算処理装置における上記ソケット側とは反対側の面の一部に対して押圧されるプレス部材であって、上記第１の台座に軸回転可能に接続される側端部と、当該側端部に対向する、上記第２の台座に隣接する側端部とを有するプレス部材と、
上記プレス部材における、中央演算処理装置とは反対側の面の一部を押圧する係合ロッドであって、上記第２の台座に軸回転可能に接続される端部と、上記第１の台座と着脱可能に係合する端部とを有する、中央演算処理装置を回路基板に固定する係合ロッドとを備えることを特徴とする固定装置。
【請求項２】
前記プレス部材は、中央演算処理装置の面の一部に重ねられる本体と、前記２つの側端部を互いに連結させる、上記本体の対向する側端から、基板本体へ向かってそれぞれ下方へ延伸する、２つの側壁とを含むことを特徴とする請求項１に記載の固定装置。
【請求項３】
前記回路基板の基板本体には複数の固定孔が形成されており、前記固定装置はさらに複数の固定部材を備え、当該固定部材は、前記第１の台座および前記第２の台座を基板本体に固定するように上記固定孔をそれぞれ通り延伸することを特徴とする請求項１に記載の固定装置。
【請求項４】
前記第１の台座は、互いに離間し、前記固定部材のうちの２つとそれぞれ係合する２つの第１の固定部と、当該第１の固定部間に接続された少なくとも１つのピボット軸部とを有し、前記第２の台座は、互いに離間し、それぞれ前記固定部材のうちの他の２つと係合する２つの第２の固定部と、当該第２の固定部間に接続された接続部分と有し、前記第１の台座に軸回転可能に取り付けられる前記プレス部材の前記側端部は、上記少なくとも１つのピボット軸部を取り囲む、少なくとも１つのピボット板として構成され、前記第２の台座に隣接する、前記プレス部材の前記側端部は、基板本体から突出するとともに上記接続部分に隣接する少なくとも１つの湾曲したプレス板として構成され、前記係合ロッドは、上記少なくとも１つのプレス板に当接することを特徴とする請求項３に記載の固定装置。
【請求項５】
前記第１の台座は、互いに離間し、前記固定部材のうちの２つとそれぞれ係合する２つの第１の固定部を有し、前記第２の台座は、互いに離間し、前記固定部材のうちの他の２つとそれぞれ係合する２つの第２の固定部を有し、第１の台座は、上記第１の固定部の一方から離れた上記第１の固定部の他方から突出した位置決め部であって、基板本体に面しており位置決め溝が形成されている側面を有する位置決め部をさらに有し、上記位置決め部から遠位の、前記第２の台座の前記第２の固定部の一方には、第２の固定部の他方に隣接する側面にピボット軸部材が設けられており、前記係合ロッドの一方の端部には、上記ピボット軸部材に軸回転可能に接続されるピボットフックが形成されており、前記係合ロッドの他方の端部には、上記位置決め部と着脱可能に係合する係合フックが形成されていることを特徴とする請求項３に記載の固定装置。
【請求項６】
前記係合ロッドは前記第２の台座と軸回転可能に接続される第１のロッド本体と、当該第１のロッド本体から垂直に延びるとともに前記第１の台座と着脱可能に係合する第２のロッド本体とを備え、上記第１のロッド本体は、前記プレス部材のプレス板に対して着脱可能に押圧されるプレス部を有することを特徴とする請求項４に記載の固定装置。
【請求項７】
前記係合ロッドは、前記ピボットフックが形成された第１のロッド本体と、当該第１のロッド本体から垂直に延びる第２のロッド本体とを有し、上記第１のロッド本体は、前記プレス部材に対して着脱可能に押圧され、上記第２のロッド本体には、前記係合フックが形成されていることを特徴とする請求項５に記載の固定装置。
【請求項８】
前記第２のロッド本体は、前記第１のロッド本体に垂直に接続されている接続部と、両端が上記接続部と前記係合フックにそれぞれ接続されている傾斜部とを有し、上記傾斜部は、前記プレス部材から離れる方向へ、上記接続部から傾斜していることを特徴とする請求項７に記載の固定装置。
【請求項９】
基板本体における、ソケットとは反対側の面に接着される底部材をさらに備え、前記固定部材は上記底部材、前記第１の台座、および前記第２の台座を基板本体に固定することを特徴とする請求項３に記載の固定装置。
【請求項１０】
基板本体と、当該基板本体に配置されたソケットであって、第１の側面および当該第１の側面と対向する第２の側面を有するソケットとを備える回路基板に対し、上記第１の側面と上記第２の側面との間に配置された中央演算処理装置を固定する、固定装置と放熱モジュールのアセンブリであって、
固定装置は、
上記基板本体における、上記ソケットの上記第１の側面に隣接する位置に固定される第１の台座と、
上記基板本体における、上記ソケットの上記第２の側面に隣接する位置に固定される第２の台座と、
中央演算処理装置に重ねられ、中央演算処理装置における上記ソケット側とは反対側の面の一部に対して押圧されるプレス部材であって、上記第１の台座に軸回転可能に接続される側端部と、当該側端部に対向する、上記第２の台座に隣接する側端部とを有するプレス部材と、
上記プレス部材における、中央演算処理装置とは反対側の面の一部を押圧する係合ロッドであって、上記第２の台座に軸回転可能に接続される端部と、上記第１の台座と着脱可能に係合する端部とを有する、中央演算処理装置を回路基板に固定する係合ロッドと、
中央演算処理装置に対して押圧される基部と、上記基部を上記第１の台座および上記第２の台座に係止する複数の係止部材を備える放熱モジュールとを備える固定装置。
【請求項１１】
前記プレス部材は、中央演算処理装置の面の一部に重ねられる本体と、前記２つの側端部を互いに連結させる、上記本体の対向する側端から、基板本体へ向かってそれぞれ下方へ延伸する、２つの側壁を含むことを特徴とする請求項１０に記載のアセンブリ。
【請求項１２】
前記回路基板は、基板本体上にソケットから離間して配置されたノースブリッジチップをさらに備え、前記基部は中央演算処理装置に対して押圧されるプレート部と、上記プレート部に接続され、ノースブリッジチップに対して押圧される凹部とを有し、前記放熱モジュールは、上記凹部に配置された放熱部材をさらに備えることを特徴とする請求項１０に記載のアセンブリ。
【請求項１３】
前記プレス部材は中央演算処理の他の部分を露出する貫通孔をさらに備え、前記基部の前記プレート部は中央演算処理装置の露出されている部分に対して押圧されることを特徴とする請求項１２に記載のアセンブリ。
【請求項１４】
前記回路基板の基板本体には複数の固定孔が形成されており、前記固定装置は複数の固定部材をさらに備え、上記固定部材は、前記第１の台座と前記第２の台座を基板本体に固定するように上記固定孔をそれぞれ通り延伸することを特徴とする請求項１０に記載のアセンブリ。
【請求項１５】
前記第１の台座は、互いに離間した２つの第１の固定部と、当該第１の固定部間に接続された少なくとも１つのピボット軸部とを有し、上記第１の固定部は、２つの上記固定部材とそれぞれ係合するとともに２つの係止部材とそれぞれ係合し、前記第２の台座は、互いに離間した２つの第２の固定部と、当該第２の固定部間に接続された接続部分とを有し、前記第２の固定部は、前記固定部材のうちの他の２つとそれぞれ係合するとともに前記係止部材のうちの他の２つとそれぞれ係合し、前記第１の台座に軸回転可能に取り付けられる前記プレス部材の前記側端部は、上記少なくとも１つのピボット軸部を取り囲む、少なくとも１つのピボット板として構成され、前記第２の台座に隣接する、前記プレス部材の側端部は、基板本体から突出するとともに上記接続部分に隣接する少なくとも１つの湾曲したプレス板として構成され、前記係合ロッドは、上記少なくとも１つのプレス板に当接することを特徴とする請求項１４に記載のアセンブリ。
【請求項１６】
前記第１の台座は、互いに離間し、前記固定部材のうちの２つとそれぞれ係合し、前記係止部材のうちの２つとそれぞれ係合する２つの第１の固定部を有し、前記第２の台座は、互いに離間し、前記固定部材のうちの他の２つとそれぞれ係合し、前記係止部材のうちの他の２つとそれぞれ係合する２つの第２の固定部を有し、第１の台座は、上記第１の固定部の一方から離れた上記第１の固定部の他方から突出した位置決め部であって、基板本体に面しており位置決め溝が形成されている側面を有する位置決め部をさらに有し、上記位置決め部から遠位の、前記第２の台座の前記第２の固定部の一方には、第２の固定部の他方に隣接する側面にピボット軸部材が設けられており、前記係合ロッドの一方の端部には、上記ピボット軸部材に軸回転可能に接続されるピボットフックが形成されており、前記係合ロッドの他方の端部には、上記位置決め部と着脱可能に係合する係合フックが形成されていることを特徴とする請求項１４に記載のアセンブリ。
【請求項１７】
前記係合ロッドは前記第２の台座と軸回転可能に接続される第１のロッド本体と、当該第１のロッド本体から垂直に延びるとともに前記第１の台座と着脱可能に係合する第２のロッド本体とを備え、上記第１のロッド本体は、前記プレス部材のプレス板に対して着脱可能に押圧されるプレス部を有することを特徴とする請求項１５に記載のアセンブリ。
【請求項１８】
前記係合ロッドは、前記ピボットフックが形成された第１のロッド本体と、当該第１のロッド本体から垂直に延びる第２のロッド本体とを有し、上記第１のロッド本体は、前記プレス部材に対して着脱可能に押圧され、上記第２のロッド本体には、前記係合フックが形成されていることを特徴とする請求項１６に記載のアセンブリ。
【請求項１９】
前記第２のロッド本体は、前記第１のロッド本体に垂直に接続されている接続部と、両端が上記接続部と前記係合フックにそれぞれ接続されている傾斜部とを有し、上記傾斜部は、前記プレス部材から離れる方向へ、上記接続部から傾斜していることを特徴とする請求項１８に記載のアセンブリ。
【請求項２０】
前記固定装置は、基板本体における、ソケットとは反対側の面に接着される底部材をさらに備え、前記固定部材は、上記底部、前記第１の台座、および前記第２の台座を基板本体に固定することを特徴とする請求項１４に記載のアセンブリ。
【考案の詳細な説明】
【考案の詳細な説明】
【０００１】
〔実用新案登録出願の相互参照〕
本願は、参照によってその開示全体が本明細書に援用される台湾実用新案登録出願第１０１２０３５４６号（２０１２年２月２９日出願）に対する優先権を主張する。
【０００２】
（考案の背景）
〔１．技術分野〕
本考案は、固定装置に関する。より具体的には、中央演算処理装置を回路基板に固定するための固定装置に関する。
【０００３】
〔２．関連技術の説明〕
従来の中央演算処理装置用固定装置は、接触不良によりマザーボードが起動しないという問題を軽減するため、中央演算処理装置とソケットのピン口金を確実に接触させるものとして用いられている。また、効率良く中央演算処理装置の熱を発散させるため、放熱部材が固定装置上に中央演算処理装置と良好に接触するように配置されている。
【０００４】
ところが、固定装置は中央演算処理装置の上面に当接するように構成されているため、ボルトまたはネジにより上記固定装置を中央演算処理装置に固定する必要がある。この場合、固定工程の際に、ボルトが通るように関連部材のネジ穴の位置を調整する必要がある。したがって、ネジ穴のサイズとボルトまたはネジのサイズの不一致、ネジ穴のずれ、ボルトまたはネジとネジ穴を係合する際の不適当な加力が中央演算処理装置の固定に悪影響を及ぼす恐れがある。
【０００５】
〔考案の概要〕
そのため、本考案の目的は、上述の問題を軽減することが可能な、中央演算処理装置を固定するための固定装置を提供することにある。
【０００６】
よって、本考案の固定装置は、中央演算処理装置を回路基板に固定するように構成されている。回路基板は、基板本体および当該基板本体に設けられたソケットを備えている。ソケットは第１の側面および当該第１の側面に対向する第２の側面を有している。中央演算処理装置はソケットの第１の側面と第２の側面との間に配置されている。上記固定装置は、
上記基板本体における、上記ソケットの上記第１の側面に隣接する位置に固定される第１の台座と、
上記基板本体における、上記ソケットの上記第２の側面に隣接する位置に固定される第２の台座と、
中央演算処理装置に重ねられ、中央演算処理装置における、上記ソケット側とは反対側の面の一部に対して押圧されるプレス部材であって、上記第１の台座に軸回転可能に接続される側端部と、当該側端部に対向する、上記第２の台座に隣接する側端部とを有するプレス部材と、
上記プレス部材における、中央演算処理装置とは反対側の面の一部を押圧する係合ロッドであって、上記第２の台座に軸回転可能に接続される端部と、上記第１の台座と着脱可能に係合する端部とを有する、中央演算処理装置を回路基板に固定する係合ロッドとを備えることを特徴としている。
【０００７】
〔図面の簡単な説明〕
本考案のその他の特徴や効果は、添付の図面に基づいた以下の一実施形態の詳細な説明で明らかになるであろう。
【０００８】
図１は、本実施の形態に係る固定装置および放熱モジュールのアセンブリの分解斜視図である。
【０００９】
図２は、本実施の形態に係る固定装置と放熱モジュールのアセンブリの組立斜視図である。
【００１０】
図３は、本実施の形態に係る固定装置の第１の台座、第２の台座、プレス部材、および係合ロッドの分解斜視図である。
【００１１】
図４は、中央演算処理装置が固定装置によって回路基板に固定されている状態を示す組立斜視図である。
【００１２】
図５は、本実施の形態に係る固定装置と放熱モジュールのアセンブリの、図２の切断線Ｖ−Ｖにおける断面図である。
【００１３】
図６は、係合ロッドがプレス部材から外され、当該プレス部材が回路基板と１３０度の角度を成す状態を示す断片的な部分的分解斜視図である。
【００１４】
図７は、プレス部材が中央演算処理装置に重ねられ、中央演算処理装置に対して押圧されている状態を示す断片的な部分的分解斜視図である。
【００１５】
〔考案を実施するための形態〕
図１および図２は、本考案に係る固定装置３および放熱モジュール４のアセンブリの一実施形態を示す。アセンブリは、図示しないコンピューターホスト（computer host）において利用されるもので、中央演算処理装置２を回路基板１に固定するために回路基板１上に配置されている。回路基板１は、基板本体１２、基板本体１２上に設けられたソケット１３、および基板本体１２上にソケット１３から離れて設けられたノースブリッジチップ１４を備えている。基板本体１２には４つの固定孔１１が形成されており、ソケット１３は第１の側面１３１および第１の側面に対向する第２の側面１３２を有している。中央演算処理装置２はソケット１３に電気的に接続されており、ソケット１３の第１の側面１３１と第２の側面１３２との間に配置されている。アセンブリは固定装置３と放熱モジュール４から構成されている。
【００１６】
固定装置３は、第１の台座３１、第１の台座３１と平行にかつ離れて設けられた第２の台座、プレス部材３３、係合ロッド３４、４つの固定部材３６、および底部材３５を備えている。
【００１７】
なお、説明の明瞭化のため、図４では放熱モジュール４は省略されている。図３および図４に示すように、第１の台座３１および第２の台座３２は基板本体１２に固定されている。第１の台座３１および第２の台座３２はそれぞれソケット１３の第１の側面１３１および第２の側面１３２に隣接している。第１の台座３１は、互いに離れた２つの第１の固定部３１１と、当該第１の固定部３１１間に接続された２つのピボット軸部３１２と、当該２つのピボット軸部３１２間に接続された凸部３１５とを備える。本考案の別の実施の形態においては、ピボット軸部３１２はひとつのみでもよい。第１の台座３１を基板本体１２に固定するため、固定部材３６のうち２つは上方へ延伸し、それぞれ対応する２つの固定孔１１を通り、第１の固定部３１１とそれぞれ係合している。さらに、第１の台座３１は、一方の第１の固定部３１１から離れた他方の固定部３１１から突出した位置決め部３１３であって、基板本体１２に面し、位置決め溝３１４が形成された面を有する位置決め部３１３を有している。
【００１８】
第２の台座３２は、互いに離れた２つの第２の固定部３２１と、当該第２の固定部３２１の間に接続された接続部分３２２とを有している。位置決め部３１３より遠位の一方の第２の固定部３２１は、他方の第２の固定部３２１に面する側面にピボット軸部材３２３が設けられている。ピボット軸部材３２３は接続部分３２２に対して垂直である。第２の台座３２を基板本体１２に固定するため、他の２つの固定部材３６は上方へ延伸し、それぞれ対応する２つの固定孔１１を通り、第２の固定部３２１とそれぞれ係合している。
【００１９】
プレス部材３３は、中央演算処理装置２に重ねられ、中央演算処理装置２におけるソケット１３とは反対側の面の一部に押圧される本体３３２であって、中央演算処理装置２のその他の部分を露出するための貫通孔３３１が形成された本体３３２を備える。さらに、プレス部材３３は、本体３３２の対向する端部にそれぞれ接続され、第１の台座３１と第２の台座３２にそれぞれ隣接する向かい合った第１および第２の側端部を備える。本実施形態では、第１の側端部は、本体３３２の対応する端部から突出してそれぞれピボット軸部３１２を取り囲む、２つの離間したピボット板３３３として構成されている。これにより、プレス部材３３が第１の台座３１に対して軸回転可能に接続されている。第２の側端部は、湾曲したプレス板３３４であって、本体３３２の対応する端部から突出し、接続部分３２２に隣接する、２つの離間したプレス板３３４として構成されている。さらにプレス部材３３には、ピボット板３３３とプレス板３３４との間で接続された、本体３３２の２つの対向する側端から、基板本体１２へ向かって、それぞれ下方へ延伸した２つの側壁３３５が形成されている。
【００２０】
係合ロッド３４は略Ｌ字型で、第２の台座３２に軸回転可能に接続される第１のロッド本体３４１と、第１のロッド本体３４１から垂直に延びる第２のロッド本体３４４とを有する。第１のロッド本体３４１は、その一方の端部において、ピボット軸部材３２３に軸回転可能に接続されるピボットフック３４２を有し、さらに、プレス板３３４をそれぞれ着脱可能に押圧する２つのプレス部３４３を有する。本考案の他の実施形態においては、対応する対のプレス部３４３およびプレス板３３４の数は異なってもよい。第２のロッド本体３４４は、位置決め部３１３と着脱可能に係合する係合フック３４５、第１のロッド本体３４１に垂直に接続された接続部３４７、および両端が接続部３４７および係合フック３４５にそれぞれ接続された傾斜部３４６を有する。具体的には、係合フック３４５の一部は位置決め溝３１４を通って延伸しており、傾斜部３４６は、プレス部材３３から離れる方向に、接続部３４７から傾斜している。
【００２１】
図１および図５に示すように、放熱モジュール４は、中央演算処理装置２に対して押圧される基部４１、基部４１に配置された放熱部材４２、および基部４１を第１の台座３１および第２の台座３２に係止する複数の係止部材４３を備える。基部４１は、中央演算処理装置２の、プレス部材３３の貫通孔３３１によって露出されている部分に対して押圧されるプレート部４１１と、プレート部４１１に接続された凹部４１２であって、ノースブリッジチップ１４に押圧される凹部４１２とを備えている。放熱部材４２は凹部４１２上に配置されている。
【００２２】
底部材３５は、基板本体１２におけるソケット１３とは反対側の面に接着されており、固定部材３６は、底部材３５、第１の台座３１、および第２の台座３２を基板本体１２に固定している。
【００２３】
図４、図６、および図７は中央演算処理装置２を固定するための固定装置３の操作を示している。まず、係合ロッド３４の係合フック３４５を第１の台座３１の位置決め部３１３からはずし、係合ロッド３４を、第１のロッド本体３４１が基板本体１２に対し垂直になるまで、位置決め部３１３から離れる方向に旋回させる。この時、プレス部材３３のプレス板３３４は第１のロッド本体３４１のプレス部３４３によって押されていないため、プレス部３３を、本体３３２が基板本体１２と約１３０度の角度を形成するまで、接続部分３２２から離れる方向に旋回させることができる（図６参照）。次に、中央演算処理装置２をソケット１３上に実装した後、図７に示すように、プレス部材３３を接続部分３２２に向かって旋回させる。これにより、本体３３２は中央演算処理装置２上に重ねられ、中央演算処理装置２に対して押圧される。最後に、係合ロッド３４を位置決め部３１３に向かって旋回させ、係合フック３４５を第１の台座３１の位置決め部３１３に係合させる。この際、図４に示すように、第１のロッド本体３４１のプレス部３４３はプレス部材３３のプレス板３３４をそれぞれ押圧する。そうすることにより、中央演算処理装置２をソケット１３に固定する。
【００２４】
従来の、ボルトやネジを着脱することにより固定したり外したりしなければならない、一体的に形成された固定装置と比べると、上述した従来技術の問題は本考案の固定装置３を用いることによって防ぐことができる。
【００２５】
本考案を最も実用的と考えられる実施形態とともに説明をしてきたが、本考案は上述の実施形態に限定されるものではなく、最も広義な解釈の精神と範囲内での種々の組み合わせにも及び、全てのそのような変更や同等の組み合わせを含むものである。
【図面の簡単な説明】
【００２６】
【図１】本実施の形態に係る固定装置および放熱モジュールのアセンブリの分解斜視図である。
【図２】本実施の形態に係る固定装置と放熱モジュールのアセンブリ の 組立斜視図 で ある。
【図３】本実施の形態に係る固定装置の第１の台座、第２の台座、プレス部材、および係合ロッドの分解斜視図である。
【図４】中央演算処理装置が固定装置によって回路基板に固定されている状態を示す組立斜視図である。
【図５】本実施の形態に係る固定装置と放熱モジュールのアセンブリの  、図２の切断線Ｖ−Ｖにおける断面図である。
【図６】係合ロッドがプレス部材から外され、当該プレス部材が回路基板と１３０度の角度を成す状態を示す断片的な部分的分解斜視図である。
【図７】プレス部材が中央演算処理装置に重ねられ、中央演算処理装置に対して押圧されている状態を示す断片的な部分的分解斜視図である。
【図１】
0003183398.tif 000003
【図２】
0003183398.tif 000004
【図３】
0003183398.tif 000005
【図４】
0003183398.tif 000006
【図５】
0003183398.tif 000007
【図６】
0003183398.tif 000008
【図７】
0003183398.tif 000009